(57)【特許請求の範囲】
【請求項１】
個体の上顎及び／又は下顎の状態模型と、
前記個体の口の状態を示すカラー写真と、
前記カラー写真に対応させて、義歯の制作に必要なコーティングの順序を段階的に示した手引きとしてのコーティング図式と、
を含むシステムであって
前記コーティング図式は、互いに重ね合わせることのできる透明シート形式であり、
前記コーティング図式は、自然な色合いを再現する被覆材及び効果仕上材の選択と、該被覆材及び該効果仕上材の使用とに関する作業方法の手引きとなる、
義歯の準備及び制作に於いて適用される歯の形態及び歯の色構成を決定するためのシステム。
【請求項２】
前記コーティング図式に基づく前記コーティングの順序のカラー写真を更に含む請求項１に記載のシステム。
【請求項３】
歯の色の特徴を個々に記入可能なブランクの図式を更に含む請求項１又は２に記載のシステム。
【請求項４】
自然歯の形態及び咬合面の見本を与える前記固体の個々の自然歯の複製物を更に含む請求１乃至３のうちいずれか一項記載のシステム。
【請求項５】
前記咬合面のシリコン成形物を更に含む請求項４記載のシステム。
【請求項６】
前記状態模型は、個体の自然歯又は既に一部義歯で構成されている歯から型取りした物である請求項１乃至５のうちいずれか一項記載のシステム。
【請求項７】
添付されるコーティング図式に基づいて再構成された歯の写真を含む請求項１乃至６のうちいずれか一項記載のシステム。
【請求項８】
前記状態模型上での前記コーティング図式に基づく前記コーティングの順序のシミュレーションを行うよう構成されるコンピュータシステムを更に含む請求項１乃至７のうちいずれか一項記載のシステム。
【請求項９】
個体の上顎及び／又は下顎の状態模型と、該個体の口の状態を示すカラー写真と、前記カラー写真に対応させて、義歯の制作に必要なコーティングの順序を段階的に示した手引きとしてのコーティング図式とを用いて、該義歯を制作する方法であって、
前記義歯のベースを形成する金属キャップに、不透明材質層を被せる段階と、
強力不透明材質層を用いて前記義歯の首部に階調を付ける段階と、
前記不透明材質層上に象牙質層を付与する段階と、
前記義歯を求める形態にする段階と、
前記強力不透明材質層上にて、特殊効果仕上材層を用いて前記首部に再度階調を付ける段階と、
乳頭状部分及び刻み目のある縁部分のそれぞれに、効果仕上げ層を重ねる段階と、
刃部分を刃構成質層で被覆する段階と、
前記刃部分を透明材質層で被覆する段階と、
を含み、
各段階は、１つのコーティング図式によって案内され、
前記コーティング図式は、互いに重ね合わせることのできる透明シート形式であり、
前記コーティング図式は、自然な色合いを再現する被覆材及び効果仕上材の選択と、該被覆材及び該効果仕上材の使用とに関する作業方法の手引きとなる、義歯を制作する方法。
【発明の詳細な説明】
【０００１】
【発明の属する技術分野】
本発明は歯の形態及び歯の色構成を決定するための方法に関するもので、特に義歯の準備、製作に適用される方法に関する。
【０００２】
【従来の技術】
従来法では色構成の決定は、歯の一般的自然色を集めた例えば20種のカラーサンプルから成るカラースケールを基になされている。歯科医や歯科技工士は患者の歯の色とカラースケールとを見比べて患者の歯に適合する色を選び出し、それを見本にしてそれぞれの素材メーカーの基礎原料をベースにしたセラミックス材料や合成樹脂被覆材から歯を複製している。該義歯に必要な色を付与するのは簡易な被覆材コーティング技術による。その場合、通例基礎原料をベースにした５種類の材質を適用するが、それらは通常
不透明材質、不透明象牙質、象牙質、刃部分構成材質、透明材質
の順序で義歯本体に塗布される。
【０００３】
これらの塗布材によって自然の歯を複製するのであるが、本来の地色が再現されて初めてそれが実現する。その場合、自然な変色によって現れてくる色の特徴、例えば淡色や暗色の包含物（例えば、二次象牙質、石灰斑点、乳頭形状物）あるいは周りと別な色の刻み目を持つ縁などについては、いわゆる効果仕上材を使用しないことには表現できない。自然の歯の外観を再現するためには、個々の部分についての下絵がなければならない。それは歯科技工士が作成するのであるが、その場合患者の歯の色合いを出せる効果仕上材及びコーティング技術を自己の経験に則って選び出し、それらを下絵に書き留めておくというようになされている。
【０００４】
ここで問題になるのは、患者の歯の色の正確な選定及び効果仕上材の適切な使用であるが、製作された義歯の色効果の判定は豊富な経験と反復テストがあって初めて可能である。
【０００５】
【発明が解決しようとする課題】
色の決定方法及び特殊な効果仕上材によるコーティングの技術を習得するには多大なコストと時間が必要である。
自然の歯の形態通りに複製するという観点からもいろいろと問題が生ずる。特に患者が既に義歯を付けている場合がそうであるが、それは元の自然な歯の形態が判らないからである。この場合、歯科技工士にとっては義歯を成形する手がかりが全くないのと同然である。
【０００６】
本発明の課題は、歯の形態及び歯の色構成の決定を簡単に、しかも確実に行えるようにすること及び義歯の製作では形態及び色の特徴をできる限り自然の歯に忠実に再現することである。
【０００７】
【課題を解決するための手段】
この課題は請求項１の技術体系によって解決される。
そこには様々な歯の形態及び歯の色構成毎に模型、写真及びコーティング図式を一セットとした各種品種が用意されている。これによれば、患者の歯と模型とを形態及び色構成の点から比較して適合品種を簡単に選択することができ、それに基づいて歯科試験室で自然の歯に忠実な複製を得ることができる。
【０００８】
【発明の実施の形態】
本発明による方法は、様々な基本品種を形作る個々の構成要素から成っている。主要構成要素は次の通りである。
−  個体の上顎及び（又は）下顎の状態模型；
−  個体の口の状態を示すカラー写真；                                    −  カラー写真に対応させて、義歯の製作に必要なコーティングの順序を段階的に示したコーティング図式。
基本品としては次の種類がある。
１．ベース品、前面の歯（試験室用）
２．マスター品、前面の歯（試験室用）
３．側面歯（試験室用）
４．コーティング工程及びコーティング技術の図面（試験室用）
５．歯科医用品種
６．コンピュータプログラム（オプション）
１．ベース品
ベース品は幾つかのセットとそれに対応する写真類（写真、ポジフィルム）から成っている。
【０００９】
各種セットにはそれぞれ個体の自然の歯、特に前面の歯（上顎、下顎）の状態模型、写真（ポジフィルム）及び対応のコーティング図式が含まれる。この状態模型の代わりにセラミックス材又は合成樹脂被覆材でコーティング加工した歯の模型を使用することもできる。金属表面を持つ模型を選択することも可能である。
【００１０】
ベース品の一セット又は数セットに個体の自然歯の状態模型の代わりに、個々の歯を本発明に基づく方法によって修復した修復模型が含まれていてもよい。その場合、当該セットは修復された歯に対応する写真及びコーティング図式を補足試料として含んでいるものとする。
状態模型は個体の口内の歯の状態を正確に示したものである。写真は口内状態を拡大したものであるが、カラーで直接撮影したものと鏡面撮影したものがある。これにより各個体の個々の歯の特徴が写し出され、歯の色に関して正確なデーターが得られる。さらにセラミックス材料又は合成樹脂被覆材による複製を実現するために、個体それぞれについて、例えば重ね合わせることのできる透明シート上に、あるいはまた詳しい説明文やカラー写真入りの本やノート形式のものに自然な色合いを再現するためにはどの被覆材、効果仕上材を、どの範囲に、どんな濃度で使用すべきかという作業方法の手引きとなるコーティング図式が作成される。当方法でつくった複製物の仕上がり結果を写真に撮って添付することが可能である。
【００１１】
その他、同じ図式の症例に於いて色の違いを書き留めることができるように、ブランクコーティング図式も用意されている。ベース品は歯の形態及び歯の色に関して最も頻繁に現れる一般的特徴を持った個体を母集団としている。当品は試験室での作業を目的として構成されたものであり、常時提供できる見本は歯の色合い、形態の決定に及びセラミックス材料又は合成樹脂被覆材による自然歯に忠実な複製作業に携わっている歯科技工士向けのものである。
２．マスター品
マスター品はベース品と同様の構成になっており、適用も同様である。ベース品との違いは個体例の選択にある。マスター品は、例えば強い二次象牙質形成、薬剤による変色又はその他異常発生的な、あるいは自然発生的な色構成による変色など形態、色相及び位置に関して特殊な例を含んでいる。
３．側面歯
側面歯関係構成はベース品又はマスター品の場合と同じであって、上記品で用いられたパラメーターの適用対象がすべて側面歯に変わる点が異なるだけである。
【００１２】
側面歯には個々の自然歯から型取りした石膏製又は合成樹脂製複製物の収集見本が自然歯の咬合面と歯冠レリーフの比較研究用に添付される。また、シリコン成形材が咬合面の製作用に添付される。
４．セラミックス材料によるコーティングの図解（写真、ポジフィルム）
ベース品、マスター品及び側面歯いずれにも共通するが、セラミックス材料の層形成の状況は各セット毎に感光体上、段階的に記録される。セラミックス材料あるいは合成樹脂被覆材は種々様々に着色される。歯科技工士は複製するに際し、各ステップ毎にそれぞれの個体の歯の色相状態をコーティング図式と見合わせながら取るべき行動を決定することができる。
５．歯科医用品種
歯科医用品種はベース品、マスター品及び側面歯と構成も内容も同じである。
【００１３】
これによって、歯科医は患者の診察から直接その歯の形態、歯の色合い及び位置を決定することが可能になる。添付されるカラー写真及び（又は）ポジフィルムから患者の歯の特徴を見定めることができ、また、ブランクコーティングの図式上には複製に使用するセラミックス材料、合成樹脂被覆材又は効果仕上材を記入することができる。
６．コンピュータプログラム（オプション）
補助手段であるコンピュータープログラムの課題としては次の点が挙げられる。
−  各品の状態模型をスクリーン上、又はそれに相当する表示装置に描写
−  各品の図解
−  各品のコーティング図式の表示
−  ブランク図式の表示
−  コーティング工程の表示
コンピュータプログラムの機能としては次の諸点が考えられる。
−  上記のパラメータ及びそれらの関連性の表示。それにより各々の模型形態と対応のコーティング図式とを組み合わせることが可能になる。
−  各々のコーティング図式に於ける色構成の変更
即ち、ブランクコーティング図式から取り出した色をストックされているコーティング図式に記入する。色の変更結果はプログラムによって加工され、当該の画像見本に転写される。色の変更が全体の印象へ与える影響はスクリーンで見られる。画像をカラーで写し出すことも可能である。
−  歯の形態及び位置の変更
−  処置例の写真電送あるいは歯科技工士が適用すべきコーティング図式及びそのコーティングに必要な被覆材や効果仕上材のビデオ撮影及び描写
本発明に基づく方法は、工程の説明をするコーティング図式や写真を通して及びこのコーティング方法の結果に関する写真を通して、簡単に実現できる多数の歯形態の例や色構成の例を提示する。それにより、製作対象の義歯について歯科医、歯科試験室間で最高のコミュニケーションを保つことが可能である。歯科医及び歯科技工士は種々のセット間で歯形態及びコーティング図式を組み合わせることにより、個々の患者に適合した義歯を製作する上で多くの応用可能性を得ることができる。
【００１４】
【実施例】
以下に、本発明の一実施例の態様を詳しく説明する。図とその説明から本発明の持つその他本質的な特徴及び長所が明らかになる。
図１及び図２では、歯の形態及び色合いの決定のための方法は実際ではどのように構成され得るのかを例示している。各品は分離及び積み重ね可能な保管ボックス１に収容される。当ボックスは例では２つの構成単体2a,2b から成っているが、もっと多くの構成単体を持つことも可能である。単体２の各々にはそれぞれ個体例のデータが入った引き出し３の付いた、例えば４つのセットが収容されている。セットの中には取り出し可能なボックス内に写真4(ポジフィルム）が入っており、取り出し可能なプレート架台には上顎、下顎の状態データ5,6 が納められている。引き出し３にはコーティング図式を含む当該歯の記録データが入っている。
【００１５】
品１は２つ又はそれ以上の単体２による構成が可能である。例では合計８つの組み合わせ可能な形態及び色合いが存在することになる。模型及びコーティング図式、画像材料の異なる各種セットの組み合わせにより、計36通りの上顎状態及び計36通りの下顎状態が可能である。
ボックス１は基本品の一例であるが、これは一つ又は複数のマスター品を含むまた別な構成単体２で補充することができる。歯色に関する基本的事項の決定は、例えばDucera社のカラーコードなどによる従来の方法で行う。
【００１６】
歯の形態及び色構成の決定、つまり、歯の形態上、色相上の個々の特徴付けはそれぞれのセットの模型及び画像材料を手がかりに行う。その場合、例えば次の基本的項目：歯の形態、歯の色、歯の本体、歯の首部、場合によっては乳頭状部分や刻み目の入った縁部分（刃の輪郭部）、刃部分を基準にして区別することができる。
【００１７】
原則としてセラミックス材料（不透明質、不透明象牙質、象牙質、刃部分構成質）が利用されるが、その他に多数の効果仕上材も使用される。効果仕上材としては、自然変色したあらゆる変色段階のものが用意されている。これらは殆どが自身の色の効果に因んだ名称が付けられている。例えば、オパール、フラミンゴ、ブルー、コハク（例えばDucera Dental 社/Rosbachの変性品及びオパール材品からのもの）などである。
【００１８】
色の決定は通例歯科医が従来のカラースケールを使って行う。セットNo.1〜No.8に含まれる状態模型を手がかりに患者本来の歯型に最も近い歯型を求めることができる（例えばセットNo.7からの歯型）。
個々の特徴（例えば乳頭状部分、二次象牙質に関して）の決定は、歯科医用品種の画像を基にして行う。個々の特徴が色効果へ与える影響についての決定は、個々の色材のカラースケール（例えば変性色材）によって行い、図３に従いブランク図式に記入する。例えば図に描かれた患者の犬歯がセットNo.3の色構造で、歯の首部８が本体７の色と異なっているとする。その他刻み目のある縁10、３つの乳頭状部分９及び変色した刃の部分11があるとする。これら個々の特徴と写真やポジフィルムに描かれたカラー図式とを見比べて対応するカラー図式を選択しなければならない。この場合は、例えば本体の色:A3 、歯の首部の色：コハク色、刻み目のある縁の色：乳白ブルー、乳頭状部分の色：フラミンゴ、刃部分の色:S59といったものである。
【００１９】
このカラー図式は既に品例（例えばセットNo.3）の中に含まれている。色効果の偏差は歯科医自身がブランクコーティング図式に書き込まねばならない（図３）。
加工依頼を受けた歯科試験室は歯科医から適当な形に集約されたデーターを受け取る。例えば患者1234：歯の色A3、歯の形態：セットNo.7、歯の色構成：セットNo.3、色度：セットNo.5（但し適切なカラー図式が見当たらない場合は、本体の色:A3 、歯の首部の色：コハク色、刻み目のある縁：乳白ブルー、乳頭状部分の色：フラミンゴ、刃部分の色：ブランクコーティング図式に基づきS59 とする）といった具合である。
【００２０】
歯科技工士はベースセット又はマスターセットより対応の状態模型、カラー図式、コーティング図式及び写真を入手することができる。即ち、義歯製作のための正確な見本を作業の手引きと共に段階的に得ることができるのである。
図４（Ａ）〜（Ｄ）にある通り、コーティング図式に基づき第一ステップでは義歯のベースとなる金属キャップ12に不透明材質13（色A3）を被せる。歯の首部８は強力不透明材質14（色：赤褐色）で階調をつける（図４（Ａ））。
【００２１】
第二ステップは歯に象牙質層16を付与し、求める形態に仕上げる工程である。この場合、歯の首部８用コーティング図式に基づき、特殊効果仕上材15により再度調色しなければならない（図４（Ｂ））。
第三ステップではカラー包含物の存在する部分での、即ち乳頭状部分９及び刻み目のある縁部分10での象牙質コーティング16の効果を抑制する。乳頭状部分９には求める色合いを持った効果仕上層18を重ね、同様に刻み目のある縁部分10では適切な効果仕上層19を塗布する。刃部分は全体を刃構成質17で被覆する（図４（Ｃ））。
【００２２】
第４ステップでは刃部分11を透明材質20から成る被覆層で上掛けする（図４（Ｄ））。
図５は例で説明したコーティングの態様をさらに切断図として示したものである。
図６は上顎犬歯のコーティング例である。歯の本体21は象牙質16及び刃構成質17で形成されており、刻み目のある縁部分では刻み目構成質22が塗布される。刻み目領域のほぼ中央に二次象牙質25の満たされた、黄みがかった茶色の部分がある。二次象牙質の領域の周囲には効果仕上材の２つの層23,24 がある。例えば少し白っぽい成分24と青みがかった成分23である。
【図面の簡単な説明】
【図１】本発明に基づくシステム構成をなす実施例の図である。
【図２】引き出しの拡大略式図である。
【図３】天然の歯の色の特徴を示す図である。
【図４】（Ａ）〜（Ｄ）は図３を基準として、求める色効果を達成するための「段階式」コーティングの例（コーティング図式）を示す図である。
【図５】図３及び図４に対応してコーティングされた歯の切断面図である。
【図６】上顎犬歯のコーティング構造の図である。
【符号の説明】
１  保管ボックス
２ａ，２ｂ  単体
３  引き出し
４  写真
５，６  データ
７  本体
８  歯の首部
９  ３つの乳頭状部分
１０  刻み目のある縁
１１  刃の部分
１２  金属キャップ
１３  不透明材質
１４  強力不透明材質
１５  特殊効果仕上材
１６  象牙質層
１７  刃構成質
１８，１９  効果仕上層
２０  透明材質
２１  歯の本体
２２  刻み目構成質
２３，２４  ２つの層
２５  二次象牙質
【図１】
0003854339.tif 000002
【図２】
0003854339.tif 000003
【図３】
0003854339.tif 000004
【図４】
0003854339.tif 000005
【図５】
0003854339.tif 000006
【図６】
0003854339.tif 000007